(57)【要約】【課題】  コンテンツ繰り返し再生システムにおいて、再生時間帯とコンテンツとを列挙し、コンテンツの再生優先モードとして、「再生回数の多い順」を指定すれば、視聴者に人気のあるコンテンツを優先再生し、視聴効果を向上させることができ、逆に、コンテンツの再生優先モードとして、「再生回数の少ない順」を指定すれば、再生数が平均化され、コンテンツ間の不公平を排除することができるコンテンツ繰り返し再生装置、コンテンツ繰り返し再生方法、プログラムおよび記録媒体を提供することを目的とするものである。【解決手段】  コンテンツを繰り返して再生する繰り返しスケジュールに基づいて、コンテンツを再生する繰り返しスケジュール実行手段と、コンテンツの再生状況に応じて、上記繰り返しスケジュールを変更する繰り返しスケジュール変更手段とを有するコンテンツ繰り返し再生装置である。【選択図】  図１
2005165878.tif 000002
【特許請求の範囲】
【請求項１】
コンテンツを繰り返して再生する繰り返しスケジュールに基づいて、コンテンツを再生する繰り返しスケジュール実行手段と；
コンテンツの再生状況に応じて、上記繰り返しスケジュールを変更する繰り返しスケジュール変更手段と；
を有することを特徴とするコンテンツ繰り返し再生装置。
【請求項２】
請求項１において、
上記繰り返しスケジュールに基づいてコンテンツを再生中に、視聴者がコンテンツを選択して再生する選択コンテンツ再生手段と；
割り込みコンテンツを再生する割り込みコンテンツ再生手段と；
を有し、上記スケジュール変更手段は、上記割り込みコンテンツを再生した後に、上記繰り返しスケジュールを再び実行する際に、コンテンツの再生状況に応じて、上記繰り返しスケジュールに含まれているコンテンツの再生順序を変更する手段であることを特徴とするコンテンツ繰り返し再生装置。
【請求項３】
請求項１において、
上記繰り返しスケジュール変更手段は、予め定められた所定の再生回数に応じた順でコンテンツを再生するにように、上記繰り返しスケジュールを変更する手段であり、
上記繰り返しスケジュール実行手段は、上記変更された繰り返しスケジュールに基づいてコンテンツを再生する手段であることを特徴とするコンテンツ繰り返し再生装置。
【請求項４】
請求項１において、
上記繰り返しスケジュール変更手段は、コンテンツの再生完了回数に応じたコンテンツ再生順序で、上記繰り返しスケジュールを変更する手段であり、
上記繰り返しスケジュール実行手段は、上記変更されたコンテンツ再生順序でコンテンツを再生する手段であることを特徴とするコンテンツ繰り返し再生装置。
【請求項５】
コンテンツを繰り返して再生する繰り返しスケジュールに基づいて、コンテンツを再生する繰り返しスケジュール実行段階と；
コンテンツの再生状況に応じて、上記繰り返しスケジュールを変更する繰り返しスケジュール変更段階と；
を有することを特徴とするコンテンツ繰り返し再生方法。
【請求項６】
請求項５において、
上記繰り返しスケジュールに基づいてコンテンツを再生中に、視聴者がコンテンツを選択して再生する選択コンテンツ再生段階と；
割り込みコンテンツを再生する割り込みコンテンツ再生段階と；
を有し、上記繰り返しスケジュール変更段階は、上記割り込みコンテンツを再生した後に、上記繰り返しスケジュールを再び実行する際に、コンテンツの再生状況に応じて、上記繰り返しスケジュールに含まれているコンテンツの再生順序を変更する段階であることを特徴とするコンテンツ繰り返し再生方法。
【請求項７】
コンテンツを繰り返して再生する繰り返しスケジュールをメモリに記憶し、この記憶された繰り返しスケジュールに基づいて、コンテンツを再生する繰り返しスケジュール実行手順と；
コンテンツの再生状況に応じて、上記繰り返しスケジュールを変更し、この変更された繰り返しスケジュールをメモリに記憶する繰り返しスケジュール変更手順と；
をコンピュータに実行させるプログラム。
【請求項８】
請求項７において、
上記繰り返しスケジュールに基づいてコンテンツを再生中に、視聴者が選択したコンテンツをメモリに記憶し、再生する選択コンテンツ再生手順と；
割り込みコンテンツをメモリに記憶し、再生する割り込みコンテンツ再生手順と；
をコンピュータに実行させるプログラムであって、上記繰り返しスケジュール変更手順は、上記割り込みコンテンツを再生した後に、上記繰り返しスケジュールを再び実行する際に、コンテンツの再生状況に応じて、上記繰り返しスケジュールに含まれているコンテンツの再生順序を変更し、この再生順序が変更された繰り返しスケジュールをメモリに記憶する手順であるプログラム。
【請求項９】
コンテンツを繰り返して再生する繰り返しスケジュールをメモリに記憶し、この記憶された繰り返しスケジュールに基づいて、コンテンツを再生する繰り返しスケジュール実行手順と；
コンテンツの再生状況に応じて、上記繰り返しスケジュールを変更し、この変更された繰り返しスケジュールをメモリに記憶する繰り返しスケジュール変更手順と；
をコンピュータに実行させるプログラムを記録したコンピュータ読み取り可能な記録媒体。
【請求項１０】
請求項９において、
上記繰り返しスケジュールに基づいてコンテンツを再生中に、視聴者が選択したコンテンツをメモリに記憶し、再生する選択コンテンツ再生手順と；
割り込みコンテンツをメモリに記憶し、再生する割り込みコンテンツ再生手順と；
をコンピュータに実行させるプログラムであって、上記繰り返しスケジュール変更手順は、上記割り込みコンテンツを再生した後に、上記繰り返しスケジュールを再び実行する際に、コンテンツの再生状況に応じて、上記繰り返しスケジュールに含まれているコンテンツの再生順序を変更し、この再生順序が変更された繰り返しスケジュールをメモリに記憶する手順であるプログラムを記録したコンピュータ読み取り可能な記録媒体。
【発明の詳細な説明】
【技術分野】
【０００１】
本発明は、コンテンツの再生スケジュールに基づいて、コンテンツを再生する手段と、コンテンツ視聴者の選択によって、コンテンツを再生する手段とを合わせ持つコンテンツ繰り返し再生装置、コンテンツ繰り返し再生方法、プログラムおよび記録媒体に関する。
【背景技術】
【０００２】
従来、コンテンツの存在場所と再生時刻の情報とに基づいて、コンテンツを再生する場合、コンテンツの存在場所と、再生時刻の情報である繰り返しスケジュールとに基づいて、ネットワークを介して、コンテンツを受信し、この受信したコンテンツを、繰り返しスケジュールに基づいて、再生時刻に再生するコンテンツ繰り返し再生装置が知られている（たとえば、特許文献１参照）。
【特許文献１】特開２００２−３４２１９５号公報
【発明の開示】
【発明が解決しようとする課題】
【０００３】
しかし、従来のコンテンツ繰り返し再生装置は、再生時間帯と複数のコンテンツとを列挙し、列挙順に時間帯中、繰り返し再生するような繰り返しスケジュールであるので、コンテンツ視聴者によるコンテンツ再生の割り込み（たとえば、緊急の割り込み）状況によって、スケジュールの上位に列挙されたコンテンツの再生が多くなり、再生完了回数に偏りがでるという問題がある。
【０００４】
本発明は、コンテンツ繰り返し再生システムにおいて、再生時間帯とコンテンツとを列挙し、コンテンツの再生優先モードとして、「再生回数の多い順」を指定すれば、視聴者に人気のあるコンテンツを優先再生し、視聴効果を向上させることができ、逆に、コンテンツの再生優先モードとして、「再生回数の少ない順」を指定すれば、再生数が平均化され、コンテンツ間の不公平を排除することができるコンテンツ繰り返し再生装置、コンテンツ繰り返し再生方法、プログラムおよび記録媒体を提供することを目的とするものである。
【課題を解決するための手段】
【０００５】
本発明は、コンテンツを繰り返して再生する繰り返しスケジュールに基づいて、コンテンツを再生する繰り返しスケジュール実行手段と、コンテンツの再生状況に応じて、上記繰り返しスケジュールを変更する繰り返しスケジュール変更手段とを有するコンテンツ繰り返し再生装置である。
【発明の効果】
【０００６】
本発明によれば、コンテンツ繰り返し再生システムにおいて、再生時間帯とコンテンツとを列挙し、コンテンツの再生優先モードとして、「再生回数の多い順」を指定すれば、視聴者に人気のあるコンテンツを優先再生し、視聴効果を向上させることができ、逆に、コンテンツの再生優先モードとして、「再生回数の少ない順」を指定すれば、再生数が平均化され、コンテンツ間の不公平を排除することができるという効果を奏する。
【発明を実施するための最良の形態】
【０００７】
発明を実施するための最良の形態は、以下の実施例である。
【実施例１】
【０００８】
図１は、本発明の実施例１であるコンテンツ繰り返し再生装置１００のシステム構成例を示す図である。
【０００９】
コンテンツ繰り返し再生装置１００は、ネットワークＮＷを介して、サーバＳＶと、コンテンツホルダＣＨとに接続される。
【００１０】
コンテンツ繰り返し再生装置１００は、インタフェース１０と、スケジュール記憶部２０と、再生制御部３０と、タイマ４０と、再生部５０と、表示部６０と、再生状況記憶部７０と、操作部８０と、スケジュール制御部９０とを有する。
【００１１】
図２は、実施例１において、スケジュール記憶部２０に記憶されている繰り返しスケジュールの例を示す図である。
【００１２】
スケジュール記憶部２０は、コンテンツを繰り返して再生する繰り返しスケジュールを記憶する部分であり、図２に示すような繰り返しスケジュールを記憶している。また、スケジュール記録部２０には、図２に示すように、「コンテンツの再生優先モード」として、「再生回数の多い順」が記憶され、つまり、「再生回数の多い順」に、優先的にコンテンツを再生させるモードが記憶されている。さらに、スケジュール記録部２０に、「コンテンツの再生優先モード」として、「再生回数の少ない順」を記憶するようにしてもよく、つまり、「再生回数の少ない順」に、優先的にコンテンツを再生させるモードを記憶するようにしてもよい。
【００１３】
再生制御部３０と再生部５０とは、コンテンツを繰り返して再生する繰り返しスケジュールに基づいて、コンテンツを再生する繰り返しスケジュール実行手段の例である。また、再生制御部３０と再生部５０とは、緊急コンテンツ等の割り込みコンテンツを再生する割り込みコンテンツ再生手段の例である。緊急コンテンツは、緊急性の高いコンテンツである。さらに、再生制御部３０と再生部５０とは、上記変更されたコンテンツ再生順序でコンテンツを再生する手段の例である。
【００１４】
表示部６０は、再生部５０が再生したコンテンツを表示する部分である。
【００１５】
再生状況記憶部７０は、繰り返しスケジュールの実行を中断したことと、所定のコンテンツの再生回数とを記憶する部分である。
【００１６】
操作部８０と再生制御部３０と再生部５０とは、上記繰り返しスケジュールに基づいてコンテンツを再生中に、視聴者がコンテンツを選択して再生する選択コンテンツ再生手段の例である。
【００１７】
スケジュール制御部９０は、コンテンツの再生状況に応じて、上記繰り返しスケジュールを変更する繰り返しスケジュール変更手段の例である。なお、上記「コンテンツの再生状況」は、繰り返しスケジュールの中断、コンテンツの再生優先モードに対するコンテンツの再生回数等である。
【００１８】
また、スケジュール制御部９０は、上記割り込みコンテンツを再生した後に、上記繰り返しスケジュールを再び実行する際に、コンテンツの再生状況に応じて、上記繰り返しスケジュールに含まれているコンテンツの再生順序を変更する手段の例である。
【００１９】
スケジュール制御部９０は、コンテンツの最低保証再生回数（コンテンツ提供者との間で取り交わされた契約内容であって、最低限再生することを保証している回数）に応じた順でコンテンツを再生するにように、上記繰り返しスケジュールを変更する手段の例である。つまり、予め定められた所定の再生回数に応じた順でコンテンツを再生するにように、上記繰り返しスケジュールを変更する手段の例である。
【００２０】
スケジュール制御部９０は、上記繰り返しスケジュールを、コンテンツの再生完了回数に応じた順でコンテンツを再生するにように変更する手段の例である。
【００２１】
次に、コンテンツ繰り返し再生装置１００の動作について説明する。
【００２２】
図３は、コンテンツ繰り返し再生装置１００の動作を示すフローチャートである。
【００２３】
コンテンツ繰り返し再生装置１００は、繰り返しスケジュールに基づいて、コンテンツ再生を行っているときに、コンテンツ視聴者がリモコン等を使って、繰り返しスケジュールを中断させ、所望のコンテンツを選択し、再生した後に、繰り返しスケジュールを再び行う場合の実施例である。
【００２４】
コンテンツ繰り返し再生装置１００は、ネットワークＮＷとインタフェース１０とを介して、サーバＳＶから受信した繰り返しスケジュールを、スケジュール記憶部２０に記憶する。
【００２５】
そして、ある時間帯に再生すべき複数のコンテンツが、図２に示す順番で繰り返すスケジュール（繰り返しスケジュール）であるとする。この場合、タイマ４０によって指定された時刻に、上記繰り返しスケジュールを開始し、図２に示す順番に従って、再生部５０が、コンテンツの再生を開始する。つまり、繰り返しスケジュールを読み出し（Ｓ１）、この読み出されたスケジュールを表示部６０に表示する（Ｓ２）。
【００２６】
図４は、実施例１における再生完了状態を示す図である。
【００２７】
再生完了状態は、各コンテンツが、その再生を何回、完了したかを示す状態である。
【００２８】
コンテンツの再生が完了すれば（Ｓ３）、再生状況記憶部７０に、図４に示すように、コンテンツの再生完了回数を記憶し（Ｓ４）、再生制御部３０では、繰り返しスケジュールに従って、次に列挙されているコンテンツを再生する。
【００２９】
再生を順次行っている途中で、視聴者が、リモコン等と操作部８０とを介して、視聴したいコンテンツを選択すると、再生制御部３０は、繰り返しスケジュールに基づいて再生しているコンテンツの再生を中断し（Ｓ３、Ｓ１１、Ｓ１２）、視聴者が選択したコンテンツを再生する（Ｓ１３）。視聴者が選択したコンテンツの再生が完了すると、再生部５０は、再生完了回数を、再生状況記憶部７０に記憶する（Ｓ１４）。
【００３０】
再生制御部３０は、操作部８０から、視聴者のコンテンツ選択が終了した通知を受けると（Ｓ１５）、スケジュール制御部９０に通知する。
【００３１】
ここで、コンテンツの再生優先モードが、「再生回数の少ない順」に設定されていれば、スケジュール制御部９０は、再生状況記憶部７０に記憶されている再生完了回数と、スケジュール記憶部２０に記憶されている繰り返しスケジュールとを参照し、まず、最低保証再生回数と再生完了回数とを比較し、最低保証再生回数を満たしていないコンテンツであって（Ｓ１６）、最低保証再生回数と再生完了回数との差が大きいコンテンツの順に再生するように、繰り返しスケジュールを変更する（Ｓ１６、Ｓ１７）。
【００３２】
そして、所定回数の再生を実行していないコンテンツを、再生回数の少ない順にソートする（Ｓ１８）。
【００３３】
次に、繰り返しスケジュールにおけるコンテンツの再生優先モードが、図２に示すように、「再生数の多い順」に設定されている場合、Ｓ１６〜Ｓ１８の代わりに、次の処理を実行する。つまり、再生完了回数の多い順にコンテンツを再生するように、繰り返しスケジュールを変更し、新しい繰り返しスケジュールとする。この新しいスケジュールを、スケジュール記憶部２０が、再度記憶し、再生制御部３０は、上記新しいスケジュールに従って、再生部５０にコンテンツを再生させる。
【００３４】
緊急コンテンツを表示するための緊急スケジュールが、サーバＳＶから、ネットワークＮＷとインタフェース１０とを介して受信されると（Ｓ２１）、再生制御部３０は、緊急スケジュールに指定された緊急コンテンツを、再生部５０に通知し、再生部５０が、上記緊急コンテンツを表示する（Ｓ２２）。緊急コンテンツ再生が完了すると、再生状況記憶部７０に再生完了回数が１インクリメントされて記憶される（Ｓ２３）。
【００３５】
緊急コンテンツが再生完了されると、再生制御部３０は、タイマ４０とスケジュール記憶部２０とから、現在再生するスケジュールを選択する。選択したスケジュールが、繰り返しスケジュールであれば、スケジュール制御部９０は、再生状況記憶部７０に記憶されている再生完了回数と、スケジュール記憶部２０に記憶されている繰り返しスケジュールとを参照し、上記最低保証再生回数と再生完了回数とを比較し、最低保証再生回数を満たしていないコンテンツであって、最低保証再生回数と再生完了回数との差が大きいコンテンツの順に再生するように、繰り返しスケジュールを変更する。
【００３６】
次に、繰り返しスケジュールにおけるコンテンツの再生優先モードとして、「再生数の少ない順」が設定されている場合、再生完了回数が少ないコンテンツの順に再生するように、繰り返しスケジュールを変更し、新しい繰り返しスケジュールとする。この新しい繰り返しスケジュールを、スケジュール記憶部２０が再度記憶し、再生制御部３０が、上記新しい繰り返しスケジュールに従って、再生部５０にコンテンツを再生させる。
【００３７】
なお、上記実施例を、プログラムの発明として把握することができる。つまり、上記実施例は、コンテンツを繰り返して再生する繰り返しスケジュールをメモリに記憶し、この記憶された繰り返しスケジュールに基づいて、コンテンツを再生する繰り返しスケジュール実行手順と、コンテンツの再生状況に応じて、上記繰り返しスケジュールを変更し、この変更された繰り返しスケジュールをメモリに記憶する繰り返しスケジュール変更手順とをコンピュータに実行させるプログラムの例である。
【００３８】
このプログラムにおいて、上記繰り返しスケジュールに基づいてコンテンツを再生中に、視聴者が選択したコンテンツをメモリに記憶し、再生する選択コンテンツ再生手順と、割り込みコンテンツをメモリに記憶し、再生する割り込みコンテンツ再生手順と、上記割り込みコンテンツを再生した後に、上記繰り返しスケジュールを再び実行する際に、コンテンツの再生状況に応じて、上記繰り返しスケジュールに含まれているコンテンツの再生順序を変更し、この再生順序が変更された繰り返しスケジュールをメモリに記憶する手順とをコンピュータに実行させる。
【００３９】
また、上記プログラムを、ＦＤ、ＣＤ、ＤＶＤ、ＨＤ、半導体メモリ等の記録媒体に記録するようにしてもよい。
【００４０】
上記実施例によれば、コンテンツ再生システムにおいて、再生時間帯とコンテンツとを列挙するだけで、コンテンツの再生優先モードとして、「再生回数の多い順」を指定したときに、視聴者に人気のあるコンテンツの優先再生を行い、視聴効果を向上させる。
【００４１】
逆に、コンテンツの再生優先モードとして、「再生回数の少ない順」を指定すると、再生数が平均化され、コンテンツ間の不公平を排除できる。
【００４２】
また、繰り返しスケジュールに、最低保証再生完了回数を指定できるので、コンテンツ提供者の満足や安心を得ることができる。
【００４３】
また、上記実施例によれば、繰り返しスケジュールに、最低保証再生完了回数を設定できるので、コンテンツ提供者の満足や安心を得ることができる。
【００４４】
つまり、上記実施例は、コンテンツを繰り返して再生する繰り返しスケジュールに基づいて、コンテンツを再生する繰り返しスケジュール実行手段と、コンテンツの再生状況に応じて、上記繰り返しスケジュールを変更する繰り返しスケジュール変更手段とを有することを特徴とするコンテンツ繰り返し再生装置の例である。
【００４５】
この場合、上記繰り返しスケジュールに基づいてコンテンツを再生中に、視聴者がコンテンツを選択して再生する選択コンテンツ再生手段と、割り込みコンテンツを再生する割り込みコンテンツ再生手段とを有し、上記スケジュール変更手段は、上記割り込みコンテンツを再生した後に、上記繰り返しスケジュールを再び実行する際に、コンテンツの再生状況に応じて、上記繰り返しスケジュールに含まれているコンテンツの再生順序を変更する手段である。
【００４６】
また、上記繰り返しスケジュール変更手段は、予め定められた所定の再生回数に応じた順でコンテンツを再生するにように、上記繰り返しスケジュールを変更する手段であり、上記繰り返しスケジュール実行手段は、上記変更された繰り返しスケジュールに基づいてコンテンツを再生する手段である。
【００４７】
さらに、上記繰り返しスケジュール変更手段は、コンテンツの再生完了回数に応じたコンテンツ再生順序で、上記繰り返しスケジュールを変更する手段であり、上記繰り返しスケジュール実行手段は、上記変更されたコンテンツ再生順序でコンテンツを再生する手段である。
【図面の簡単な説明】
【００４８】
【図１】本発明の実施例１であるコンテンツ繰り返し再生装置１００のシステム構成例を示す図である。
【図２】実施例１において、スケジュール記憶部２０に記憶されている繰り返しスケジュールの例を示す図である。
【図３】実施例１の動作を示すフローチャートである。
【図４】実施例１における再生完了状態を示す図である。
【符号の説明】
【００４９】
１００…コンテンツ繰り返し再生装置、
１０…インタフェース、
２０…スケジュール記憶部、
３０…再生制御部、
４０…タイマ、
５０…再生部、
６０…表示部、
７０…再生状況記憶部、
８０…操作部、
９０…スケジュール制御部。
【図１】
2005165878.tif 000003
【図２】
2005165878.tif 000004
【図３】
2005165878.tif 000005
【図４】
2005165878.tif 000006